(57)【要約】【課題】連続して粘着テープの貼り付け及び切断を連続して作業することが可能で、作業効率の良い粘着テープカッター及び粘着テープ切断器を提供することを目的とする。【解決手段】コの字状の枠体１と、枠体１が回転するための固定回転軸１、１ａと、他のコの字状の枠体２と、枠体２が回転するための固定回転軸２、１ｂと、枠体１と枠体２を回動可能に連結する連結レバー１ｄとからなるリンク機構部と、上刃１ｇと、そのホルダー１ｈ、と、ホルダーに固着されたスライドレール１ｎと、ホルダーの上部に固着された三角形状の摺接板２とからなる切断刃部と、一端が切断刃部の上端部に連結され他端が固定されたバネ３と、スライドレールをガイドするためガイドレール１ｍとからなり、リンク機構部の押圧体１ｋに力が作用した際に、摺接ローラ１ｆが摺接板の斜辺を回転しながら移動することにより、粘着テープを切断することを特徴とする粘着テープカッター。【選択図】図１
2010168162.tif 000002
【特許請求の範囲】
【請求項１】
２個のレバー１と粘着テープを押えるための１個の押圧体により形成されるコの字状の枠体１と、前記枠体１が前記２個のレバーの中央部で回転するための固定回転軸１と、２個のレバー２と１個の回転可能な擦接ローラにより形成されるコの字状の枠体２と、前記枠体２が前記２個のレバー２の中央部で回転するための固定回転軸２と、前記枠体１と前記枠体２の開放端を回動可能に連結する連結レバーとからなるリンク機構部と、
粘着テープを切断するための上刃と、前記上刃を保持するためのホルダーと、前記ホルダーに固着されたスライドレールと、前記ホルダーの上部に固着された三角形状の摺接板とからなる切断刃部と、
一端が前記切断刃部の上端部に連結され、他端が固定されたバネと、
前記スライドレールをガイドするための固定されたガイドレールとからなり、
前記リンク機構部の押圧体に所定方向の力が作用した場合に、前記摺接ローラが前記三角形状の摺接板の斜辺を回転しながら移動することにより、前記切断刃部が変位することで前記粘着テープを切断することを特徴とする粘着テープカッター。
【請求項２】
請求項１記載の粘着テープカッターと、
前記粘着テープ切断カッターを前方に保持するためのフレームと、
粘着テープのロールを保持するためのロール保持部と、
粘着テープのロールから繰出された粘着テープをガイドするとともに、貼り付けられた粘着テープの上面を押圧するための回転可能なスポンジローラと、
前記スポンジローラに連結され、前記フレームの所定の位置の固定回転軸３を中心に回転し、かつ前記フレームとバネにより連結されたアームとからなることを特徴とする粘着テープ切断器。
【請求項３】
前記スポンジローラの両端部と、前記フレームの後方両端部に回転可能なローラを有することを特徴とする請求項２記載の粘着テープ切断器。
【発明の詳細な説明】
【技術分野】
【０００１】
本発明は、ダンボール箱等の梱包部材に粘着テープを貼り付け、及び切断を行う粘着テープカッター及び粘着テープ切断器に関する。
【背景技術】
【０００２】
梱包用のダンボール箱等の開口部を塞ぐのに使用する筒状に巻かれた粘着テープを切断するためには、従来、開口部を塞ぐのに必要な粘着テープの長さに達すると、図７に示すようにテープを切るため粘着テープ９に付属したノコ刃状の刃１５を持つテープカッターにテープを接触させて、テープを切断する方法が知られている。例えば、特許文献１に開示されているテープカッターが知られている。また、カッターナイフでテープを切る方法も一般的である。
【先行技術文献】
【特許文献】
【０００３】
【特許文献１】特開２００１−７２３１５号公報
【発明の概要】
【発明が解決しようとする課題】
【０００４】
しかし、ダンボール箱の開口部を塞ぎ粘着テープを切断する際に、図７に示す従来の方法では必要な長さに達すると両手を使用して粘着テープを切断した後、切り離した残りの粘着テープ部分をダンボール箱に手で貼り付ける必要があった。従って、引越しや商品梱包発送などの大量の箱詰作業を行う場合は、粘着テープの貼り付け及び切断を連続的に実施することができず効率的な作業が行えなかった。また、カッターナイフを使用した場合には、粘着テープを切断する際ダンボール箱等の梱包部材を傷つける恐れがあった。
【０００５】
本発明は、以上の点に着目して成されたものである。粘着テープ部材を切断する際、ダンボール箱の開口部をテープで塞ぎながら、必要な長さに達した時に粘着テープ切断器を箱に押し付けたまま内蔵した上刃で粘着テープを切断することが可能で、かつ切り離した粘着テープをダンボール箱に同時に貼り付けることができる機能を備えている。
【０００６】
グリップを把持したまま連続して粘着テープの貼り付け／切断をすることが可能で、貼り付ける場所に影響されること無く連続した作業が可能な、作業効率の良い粘着テープカッター及び粘着テープ切断器を提供することを目的とする。
【課題を解決するための手段】
【０００７】
本発明は、上述の目的を達成するため、以下（１）〜（３）の構成を備えるものである。
【０００８】
（１）２個のレバー１と粘着テープを押えるための１個の押圧体により形成されるコの字状の枠体１と、前記枠体１が前記２個のレバーの中央部で回転するための固定回転軸１と、２個のレバー２と１個の回転可能な擦接ローラにより形成されるコの字状の枠体２と、前記枠体２が前記２個のレバー２の中央部で回転するための固定回転軸２と、前記枠体１と前記枠体２の開放端を回動可能に連結する連結レバーとからなるリンク機構部と、
粘着テープを切断するための上刃と、前記上刃を保持するためのホルダーと、前記ホルダーに固着されたスライドレールと、前記ホルダーの上部に固着された三角形状の摺接板とからなる切断刃部と、
一端が前記切断刃部の上端部に連結され、他端が固定されたバネと、
前記スライドレールをガイドするための固定されたガイドレールとからなり、
前記リンク機構部の押圧体に所定方向の力が作用した場合に、前記摺接ローラが前記三角形状の摺接板の斜辺を回転しながら移動することにより、前記切断刃部が変位することで前記粘着テープを切断することを特徴とする粘着テープカッター。
【０００９】
（２）前記（１）記載の粘着テープカッターと、
前記粘着テープ切断カッターを前方に保持するためのフレームと、
粘着テープのロールを保持するためのロール保持部と、
粘着テープのロールから繰出された粘着テープをガイドするとともに、貼り付けられた粘着テープの上面を押圧するための回転可能なスポンジローラと、
前記スポンジローラに連結され、前記フレームの所定の位置の固定回転軸３を中心に回転し、かつ前記フレームとバネにより連結されたアームとからなることを特徴とする粘着テープ切断器。
【００１０】
（３）前記スポンジローラの両端部と、前記フレームの後方両端部に回転可能なローラを有することを特徴とする前記（２）記載の粘着テープ切断器。
【発明の効果】
【００１１】
本発明によれば、粘着テープ切断器を片手で把持したまま粘着テープの貼り付け／切断する作業を実施することが可能である。そして、貼り付ける場所に影響されること無く連続した作業が実施できるため、作業の効率化を図ることが可能な粘着テープカッター及び粘着テープ切断器を提供することができる。
【図面の簡単な説明】
【００１２】
【図１】本実施例に係る粘着テープ切断器の構成図
【図２】本実施例に係る粘着テープ切断器の分解図
【図３】本実施例に係る粘着テープ切断器の外観図
【図４】本実施例に係る粘着テープ切断器の操作図
【図５】本実施例に係る粘着テープカッターの動作図
【図６】本実施例に係る粘着テープカッターの動作の詳細図
【図７】従来の粘着テープカッターの操作図
【発明を実施するための形態】
【００１３】
以下に本発明を実施するための形態を、実施例により詳しく説明する。尚、この実施例に記載されている構成部品の寸法、材質、形状、上刃等については、粘着テープ幅等のサイズや仕様により異なるため、それらによりこの発明の範囲を限定する趣旨のものではない。
【実施例】
【００１４】
以下本実施例に係る粘着テープ切断器の構成及び機能を、図１、図２に基づき説明する。
【００１５】
図１は粘着テープ切断器（以下「テープカッター」と記す）１０の構成図で、説明のため上刃ユニット１の側面のガードフレーム１４ａを外した状態での構成を図示している。図２はテープカッター１０の分解図である。
【００１６】
図１（ａ）は、テープカッター１０に筒状に巻かれた粘着テープ９をセンターフレーム１４ｂに固定されたロール保持部（以下「ロールホルダ」と記す）１３に取り付けた状態で、把持用のハンドル８を固定した状態を示している。ハンドル８には片手で把持するためのグリップ８ａとテープ脱落防止金具８ｂがあり、片方の端をテープカッター１０本体に蝶番８ｃで取り付けられている。他方の端は図１（ｂ）に示すように粘着テープ９の交換時には、ハンドル８を上方に開放できるように蝶ネジ８ｄで固定される機構で、開放した状態で図２に示すようにロールホルダ１３に粘着テープ９を着脱することで交換を行うことができる。
【００１７】
粘着テープ切断カッターである上刃ユニット１は、後述する切断刃部とそれを駆動するためのリンク機構部を具備している。
【００１８】
リンク機構部はテコの力を利用した２組のコの字状の枠体を組み合わせた構造を持ち、枠体１であるレバー１ｃは固定回転軸（以下「固定軸」と記す）１ａを軸に、切り離した粘着テープ９を貼り付ける機能を持った弾力性の有る押圧体（以下「押圧ヘッド」と記す）１ｊが取付けられた押圧バー１ｋを持つ端部と、レバー１ｃの開口端部には２個の連結レバー１ｄの一端が回転自在に取付けられている。連結レバー１ｄのもう一方の端部は、コの字状の枠体２であるレバー１ｅの開口端部に回転自在に取付けられている。レバー１ｅは固定軸１ｂを軸にして連結端部に取付けた擦接ローラ１ｆが、切断刃部を構成している２個の三角形状の擦接板２の斜辺を構成する摺接面２ａ，２ｂ上を押し下げるように回転しながら移動する構成となっている。
【００１９】
切断刃部は、レバー１ｅに取付けられた擦接ローラ１ｆが摺接面２ａ，２ｂ上を上下に移動することで摺接板２には斜面下方向に力が加わるため、交換可能な上刃１ｇが固定された上刃ホルダー１ｈが下方に押出されるように駆動される。上刃ホルダー１ｈには上刃用スプリング３が摺動板２上の動きに対する引張力として作用し、レバー１ｃの端部の押圧バー１ｋに加わる力が無くなると、上刃用スプリング３の引張力で上刃ホルダー１ｈは引き戻されて上刃１ｇ及びレバー１ｄは元の位置に戻る。上刃ホルダー１ｈは、テープカッター１０のセンターフレーム１４ｂに固定されたガイドレール１ｍの間を移動するスライドレール１ｎが固定されていることにより、上下に駆動される構造となっている。
【００２０】
テープカッター１０に取付けた粘着テープ９から引き出した粘着テープ端部を、ガイドローラ７の側に形成されたスリット部から通して、粘着テープ端部をスポンジ状の素材で形成されたスポンジローラ６に貼り付けた図１（ａ）の状態で貼り付け準備は完了する。この時、図２に示すように接着ローラ６が取付けられたクランクアーム４は、テープカッター１０の本体に取付けられた固定軸４ａを軸にクランクアーム４に取付けられたクランクアーム用スプリング５の引張力により垂直方向に突き出した状態となる。
【００２１】
スポンジローラ６の素材は静電気を帯びやすく粘着テープ端部を引き付ける効果がある。また、スポンジローラ６に粘着テープ９の接着面を貼り付けても、粘着テープ９との接着力が弱い素材を使用しているため、ダンボール箱等の被貼り付け部材に粘着テープ９が貼り付くとスポンジローラ６から粘着テープ端部は容易に剥がれてしまう。そのため粘着テープ９がスポンジローラ６の前後何れの位置にあっても貼り付け作業を行うのに支障は無い。そして、スポンジローラ６は、クランクアーム用スプリング５の引張力により粘着テープ９をダンボール箱の貼り付け面に均一に押し付ける様に動作する。
【００２２】
テープカッター１０のダンボール箱等の被貼り付け部材との接触面には、ダンボール箱の開口部が粘着テープ中央になるように視認するため、燕尾状のガイドフィン１１が反りを持たせて形成されている。また、ガイドフィン１１の反りと同様、被貼り付け部材が傷つかないよう回転自在のローラ１２が、テープカッター本体の左右２箇所とスポンジローラ６の両サイドの計４箇所に取付けられている。ローラ１２は、スポンジローラ６と同じスポンジ状の素材が使用されている。
【００２３】
図３は、テープカッター１０の左下方及び右下方から見た外観図である。図３（ａ）は左下方向から見た外観で、図３（ｂ）は右下方向から見た外観図である。テープカッター１０のフレーム１４は、ガードフレーム１４ａ，センターフレーム１４ｂ，アーム用フレーム１４ｃによって構成され、上刃ユニット１やクランクアーム４、及びロールホルダ１３を取付けるために互いに平行に構成されている。また、上述したようにダンボール箱等の被貼り付け部材の開口部が粘着テープ中央になるように視認するための燕尾状のガイドフィン１１には、被貼り付け部材を傷つけないように反りを持たせ、かつ滑りが良く弾力性のある素材を使用している。また、上刃１ｇがせり出してくる位置には、前後に安全性の確保と被貼り付け部材との滑りを良くするための機能を備えたカバー１６が取付けられ、このカバー１６のスリット部から上刃１ｇが出てくるようになっている。
【００２４】
＜粘着テープの貼り付け／切断操作＞
図４はテープカッター１０の操作図で、粘着テープ９の貼り付け操作を示す図４（ａ）と、粘着テープ９を切断する操作を示す図４（ｂ）である。
【００２５】
図４（ａ）に示す粘着テープ９の貼り付け操作を説明すると、図１（ａ）の状態でダンボール箱等の被貼り付け面に押し当てると、クランクアーム４が固定軸４ａを軸に前方に押し上げられることで、スポンジローラ６はクランクアーム用スプリング５の引張力により適宜な圧力を粘着テープ９に加へる。スポンジローラ６の両サイドとガイドフィン１１側にある４個のローラ１２は、被貼り付け面上に何らか突起物があっても反り返った弾力性のあるガイドフィン１１とローラ１２により、テープカッター１０の角で貼り付け面を傷つけることを防止する働きをする。また、粘着テープ９の貼り付け操作では、ガイドフィン１１の中央に被貼り付け面の開口部を保持しながらローラ１２を転がすように手前にテープカッター１０を引くことで、開口部に粘着テープ９を正確に、かつ確実に貼り付けることができる。
【００２６】
図４（ｂ）に示す粘着テープ９の切断操作では、開口部を塞ぐのに十分な長さに達した時点で、被貼り付け面に対しガードフレーム１４ａとセンターフレーム１４ｂの前方部（上刃ユニット側）に形成されたアールに沿うように、持手でテープカッター１０の後方のみを浮かし手首を下方向に反すように引く操作をすることで、上刃ユニット１のレバー１ｃの押圧バー１ｋに内側方向への力が加わり、リンク機構部が駆動されて上刃１ｇが下方向に押出されて粘着テープ９を切断する。切り離した粘着テープ９の端部は、押圧バー１ｋに取付けられた弾力性のある押圧ヘッド１ｊがダンボール箱に貼り付けるように機能するため、空いた片方の手の平で押えて貼り付けるという手間を必要としない。粘着テープ９が切り離されるとクランクアーム４は、クランクレバー用スプリング５の引張力により図１（ａ）に示す状態に戻る。この時、スポンジローラ６の持つ静電気を帯びる特性により粘着テープ９の端部はスポンジローラ６に引き付けられ、次の貼り付け作業に支障なく対応することができるため、連続した貼り付け作業を効率的に実施することが可能となる。
【００２７】
＜上刃ユニットの切断動作＞
図５は上刃ユニット１の動作図で、図４（ｂ）に示す粘着テープ９の切断操作を行った時の上刃ユニット１の詳細な動作を正面図と側面図で示している。図５（ａ）はレバー１ｃの押圧バー１ｋに力が加わる前の状態を示し、図５（ｂ）はレバー１ｃの押圧バー１ｋに力を加えた状態を示している。上刃ユニット１は、２組のテコを組み合わせたリンク機構部を持ち、レバー１ｃは固定軸１ａを軸に押圧バー１ｋに矢印方向の力が加わると、コの字状の枠の開放端に回転自在に取付けられている２個の連結レバー１ｄを介して、レバー１ｅのコの字状の枠の開放端に力が加わる。その結果、レバー１ｅには固定軸１ｂを軸にして、接続端に取付けた擦接ローラ１ｆが切断刃部を構成する３角形状の摺動板２の摺接面２ａ，２ｂの斜面上を上下することで摺動板２を下方に押出す方向に力が加わる。摺動板２が取付けられているホルダー１ｈが下方に押出されるように駆動される。ホルダー１ｈには交換可能な上刃１ｇが取付けられおり、図５（ｂ）に示すように上刃１ｇが粘着テープ９に垂直に押し当てられて粘着テープ９を切断する。ホルダー１ｈに固定されているスライドレール１ｎは、センターフレーム１４ｂに固定されたガイドレール１ｍの間を移動することにより上下方向の動きとなる。また、ホルダー１ｈにはセンターフレーム１４ｂに他端を固定された上刃用スプリング３が取り付けられており、ホルダー１ｈが下方に移動すると上刃用スプリング３は引張力として作用し、レバー１ｃの押圧バー１ｋに加わる力が無くなるとホルダー１ｈを元の位置へ引き戻す働きをする。
【００２８】
図６は、上記の図５を用いて説明した上刃ユニット１の切断刃部の動きをより判りやすく示した図である。レバー１ｅが固定軸１ｂを軸として回転した時、擦接ローラ１ｆが摺動板２の摺動面２ａ，２ｂ上を摺動することで摺動板２を押し下げる力が働いて、上刃１ｇが下方にスライドして粘着テープ９を切断する動きを示している。図６（ａ）はレバー１ｃの押圧バー１ｋに力が加わる前の状態で上刃用スプリング３の働きで、レバー１ｅの擦接ローラ１ｆは摺動板２の底部に位置し、上刃１ｇは引き上げられた状態を示す。図６（ｂ）はレバー１ｃの押圧バー１ｋに力が加えられた時の状態で、レバー１ｅに取付けられた擦接ローラ１ｆが摺動板２の斜面を上部まで引き上げられた位置を示し、擦接ローラ１ｆが摺動板２の摺接面２ａ，２ｂを摺動することにより上刃用スプリング３を引き伸ばしながら、上刃１ｇが下方にスライドして粘着テープ９を切断する状態を示している。
【００２９】
以上説明したように本発明のテープカッター１０は、粘着テープ９をロールホルダ１３に取付け、ハンドグリップ８ａを片手で把持したままダンボール箱の開口部に押し当てながら手前に引くことでダンボール箱の蓋を粘着テープ９で塞ぐ等の貼り付け作業を実施できる。また、開口部を塞ぎ終わるとダンボール箱の貼り付け面にテープカッター１０を押し付けたまま把持した手首を下方向に反すことで、テープカッター１０に内蔵された上刃ユニット１によりテコの力を利用したリンク機構部と、リンク機構部に駆動される切断刃部の上刃１ｇがせり出すことで粘着テープ９を切断することができる。また、切り離された粘着テープ９の端部は手首を返す一連の操作のなかで、押圧バー１ｋに取り付けられた押圧ヘッド１ｊによりダンボール箱に貼り付けられるため、直ぐに別のダンボール箱の貼り付け作業に移るという連続作業が可能となり、作業効率の良い粘着テープ切断器を提供することができる。
【符号の説明】
【００３０】
１    上刃ユニット（粘着テープカッターに対応）
１ａ  固定軸（固定回転軸１に対応）
１ｂ  固定軸（固定回転軸２に対応）
１ｃ  レバー（枠体１、およびレバー１に対応）
１ｄ  連結レバー
１ｅ  レバー（枠体２、およびレバー２に対応）
１ｆ  擦接ローラ
１ｇ  上刃
１ｈ  上刃ホルダー（ホルダーに対応）
１ｊ  押圧ヘッド（押圧体に対応）
１ｋ  押圧バー
１ｍ  ガイドレール
１ｎ  スライドレール
２    擦接板
２ａ  摺接面
２ｂ  摺接面
３    上刃用スプリング（ホルダーに接続されたバネに対応）
４    クランクアーム（アームに対応）
４ａ  固定軸（固定回転軸３に対応）
５    クランクアーム用スプリング（アームに接続されたバネに対応）
６    スポンジローラ
７    ガイドローラ
８    ハンドル
８ａ  グリップ
８ｂ  テープ脱落防止金具
８ｃ  蝶番
８ｄ  蝶ネジ
９    粘着テープ
１０  テープカッター（粘着テープ切断器に対応）
１１  ガイドフィン
１２  ローラ
１３  ロールホルダ（ロール保持部に対応）
１４  フレーム
１４ａ  ガードフレーム
１４ｂ  センターフレーム
１４ｃ  アーム用フレーム
１５  ノコ刃状の刃
１６  カバー
【図１】
2010168162.tif 000003
【図２】
2010168162.tif 000004
【図３】
2010168162.tif 000005
【図４】
2010168162.tif 000006
【図５】
2010168162.tif 000007
【図６】
2010168162.tif 000008
【図７】
2010168162.tif 000009